(57)【特許請求の範囲】
【請求項１】
側面の前後方向一方に引寄部材受入溝を，前後方向他方に前後方向に傾斜した傾斜部を有する連結部材受入溝を配置するとともに前後面一方の上記引寄部材受入溝側にネジ受座を配置した起立ポールと，該起立ポールの上記引寄部材受入溝及び連結部材受入溝に応じてこれらの受入溝にそれぞれ長手方向一端から遊嵌状にスライド挿入自在の引寄部材及び上記連結部材受入溝の傾斜部と相互に係合自在の前後に傾斜した傾斜部を有する連結部材を配置したサイドブロックとを備え，起立ポールの上記ネジ受座に形成した透孔から引寄ネジを引寄部材に螺入して，それぞれ遊嵌状の引寄部材と連結部材を介してサイドブロックをネジ受座側に引寄せ上記連結部材受入溝と連結部材の傾斜部を相互に楔状に係合することによって，上記起立ポールにサイドブロックを固定してなることを特徴とする門柱等の起立構造物。
【請求項２】
両側面の前後方向一方に引寄部材受入溝を，前後方向他方に前後方向に傾斜した傾斜部を有する連結部材受入溝をそれぞれ配置するとともに前後面一方の上記各引寄部材受入溝側にネジ受座を配置した一対の起立ポールと，該一対の起立ポールの上記各引寄部材受入溝及び連結部材受入溝に応じてこれらの受入溝にそれぞれ長手方向一端から遊嵌状にスライド挿入自在の引寄部材及び上記連結部材受入溝の傾斜部と相互に係合自在の前後に傾斜した傾斜部を有する連結部材を配置した起立ポールを相互に連結するセンターブロックとを備え，上記一対の起立ポールの上記ネジ受座に形成した透孔から引寄ネジを引寄部材に螺入して，それぞれ遊嵌状の引寄部材と連結部材を介してセンターブロックをネジ受座側に引寄せ上記連結部材受入溝と連結部材の傾斜部を相互に楔状に係合することによって，上記一対の起立ポールにセンターブロックを固定してなることを特徴とする門柱等の起立構造物。
【請求項３】
上記サイドブロック又はセンターブロックを，照明，サイン等の機能部品設置用ベースとしてなることを特徴とする請求項１又は２に記載の門柱等の起立構造物。
【請求項４】
カラー，長さ等によって複数種とし，側面又は両側面の前後方向一方に引寄部材受入溝を，前後方向他方に前後方向に傾斜した傾斜部を有する連結部材受入溝を配置するとともに前後面一方の上記引寄部材受入溝又は各引寄部材受入溝側にネジ受座を配置した単一又は一対の起立ポールと，該起立ポールの上記各引寄部材受入溝及び連結部材受入溝に応じてこれらの受入溝にそれぞれ長手方向一端から遊嵌状にスライド挿入自在の引寄部材及び上記連結部材受入溝の傾斜部と相互に係合自在の前後に傾斜した傾斜部を有する連結部材を配置した起立ポールの側面に設置し又は一対の起立ポールを相互に連結するブロックと，該ブロックに設置自在の照明，表示サイン，インタホン等適宜の機能部品とを備え，上記起立ポールの上記ネジ受座に形成した透孔から引寄ネジを引寄部材に螺入して，それぞれ遊嵌状の引寄部材と連結部材を介してブロックをネジ受座側に引寄せ上記連結部材受入溝と連結部材の傾斜部を相互に楔状に係合することによって，上記起立ポールにブロックを固定してなることを特徴とする門柱等の起立構造物。
【請求項５】
上記機能部品に加えて，上記ブロックと同幅にして起立ポールに固定自在の郵便受，表示サイン，ブロック上に設置自在の門灯等の機能部品を追加的に選択設置自在に備えてなることを特徴とする請求項４に記載の門柱等の起立構造物。
【請求項６】
上記連結部材と引寄部材を共通部品として形成してなることを特徴とする請求項１，２，３，４又は５に記載の門柱等の起立構造物。
【発明の詳細な説明】
【０００１】
【発明の属する技術分野】
本発明は，例えば門柱を機能化するように機能部品を備えたファンクション門柱等として特に好適に使用することができる門柱等の起立構造物に関する。
【０００２】
【従来の技術】
この種起立構造物として，例えば上端に照明を付した下向きコ字状のフレームに複数のプレート材を架設し，それぞれサイン（表札），インタホン等の機能部品を設置し，またその下方に郵便受や，必要に応じて飾り仕切りを架設することによって門柱を機能化した完成品出荷のファンクション門柱が知られている。
【０００３】
【発明が解決しようとする課題】
しかしこの場合，完成品出荷の製品として工場で組立完成品とされるから，デザインや機能が規格化され制約されることによって，需要者にニーズに的確に応じることが必ずしも充分ではなく，メーカーとしても各種デザインの製品を在庫として抱える必要があるという問題点が残される一方，これらを部材供給することによってシステム的な製品とすることが可能であるとしても，この場合現場組立が必ずしも容易ではないという問題点が残されている。
【０００４】
本発明はかかる事情に鑑みてなされたもので，その解決課題とするところは，第一に組立を容易且つ確実になし得て現場組立用のものとして好適な門柱等の起立構造物を提供するにあり，第二に部材供給によって需要者が部材を選択使用してデザインや機能を選定することができ需要者のニーズに応じるとともに在庫の減少をなし得るシステム的な製品として好適な門柱等の起立構造物を提供するにある。
【０００５】
【課題を解決するための手段】
上記第一の課題に添って，本発明は起立構造物を起立ポールとこれに設置するサイドブロック又は一対の起立ポールを連結するセンターブロックを備えたものとするとともに起立ポールと上記ブロックの固定を，起立ポールを基準にブロックを引き寄せるように設置した引寄ネジを回転することによって起立ポールとブロックに設置した係合用の傾斜部を相互に楔状に係合するようにして行なうものとして，例えば現場において起立ポールの転倒状態でブロックをセットして上記引寄ネジをドライバーで回転することによって，極く容易に起立構造物の組立をなし得るようにしたものであって，即ち請求項１に記載の発明を，側面の前後方向一方に引寄部材受入溝を，前後方向他方に前後方向に傾斜した傾斜部を有する連結部材受入溝を配置するとともに前後面一方の上記引寄部材受入溝側にネジ受座を配置した起立ポールと，該起立ポールの上記引寄部材受入溝及び連結部材受入溝に応じてこれらの受入溝にそれぞれ長手方向一端から遊嵌状にスライド挿入自在の引寄部材及び上記連結部材受入溝の傾斜部と相互に係合自在の前後に傾斜した傾斜部を有する連結部材を配置したサイドブロックとを備え，起立ポールの上記ネジ受座に形成した透孔から引寄ネジを引寄部材に螺入して，それぞれ遊嵌状の引寄部材と連結部材を介してサイドブロックをネジ受座側に引寄せ上記連結部材受入溝と連結部材の傾斜部を相互に楔状に係合することによって，上記起立ポールにサイドブロックを固定してなることを特徴とする門柱等の起立構造物とし，請求項２に記載の発明を，両側面の前後方向一方に引寄部材受入溝を，前後方向他方に前後方向に傾斜した傾斜部を有する連結部材受入溝をそれぞれ配置するとともに前後面一方の上記各引寄部材受入溝側にネジ受座を配置した一対の起立ポールと，該一対の起立ポールの上記各引寄部材受入溝及び連結部材受入溝に応じてこれらの受入溝にそれぞれ長手方向一端から遊嵌状にスライド挿入自在の引寄部材及び上記連結部材受入溝の傾斜部と相互に係合自在の前後に傾斜した傾斜部を有する連結部材を配置した起立ポールを相互に連結するセンターブロックとを備え，上記一対の起立ポールの上記ネジ受座に形成した透孔から引寄ネジを引寄部材に螺入して，それぞれ遊嵌状の引寄部材と連結部材を介してサイドブロックをネジ受座側に引寄せ上記連結部材受入溝と連結部材の傾斜部を相互に楔状に係合することによって，上記一対の起立ポールにセンターブロックを固定してなることを特徴とする門柱等の起立構造物とし，請求項３に記載の発明は，上記に加えて，上記ブロックを機能部品設置用に使用して，需要者のニーズに応じて現場で機能部品の設置を可能とするように，これを，上記サイドブロック又はセンターブロックを，照明，サイン等の機能部品設置用ベースとしてなることを特徴とする請求項１又は２に記載の門柱等の起立構造物とし，また請求項４に記載の発明は，上記第二の課題に添って，起立構造物として必要な部材を供給するシステム製品とするとともにその組立を容易且つ確実になし得て現場組立用のものとするように，これを，カラー，長さ等によって複数種とし，側面又は両側面の前後方向一方に引寄部材受入溝を，前後方向他方に前後方向に傾斜した傾斜部を有する連結部材受入溝を配置するとともに前後面一方の上記引寄部材受入溝又は各引寄部材受入溝側にネジ受座を配置した単一又は一対の起立ポールと，該起立ポールの上記各引寄部材受入溝及び連結部材受入溝に応じてこれらの受入溝にそれぞれ長手方向一端から遊嵌状にスライド挿入自在の引寄部材及び上記連結部材受入溝の傾斜部と相互に係合自在の前後に傾斜した傾斜部を有する連結部材を配置した起立ポールの側面に設置し又は一対の起立ポールを相互に連結するブロックと，該ブロックに設置自在の照明，表示サイン，インタホン等適宜の機能部品とを備え，上記起立ポールの上記ネジ受座に形成した透孔から引寄ネジを引寄部材に螺入して，それぞれ遊嵌状の引寄部材と連結部材を介してブロックをネジ受座側に引寄せ上記連結部材受入溝と連結部材の傾斜部を相互に楔状に係合することによって，上記起立ポールにブロックを固定してなることを特徴とする門柱等の起立構造物とし，請求項５に記載の発明は，上記に加えて，需要者の選択使用の範囲を拡大するように，これを，上記機能部品に加えて，上記ブロックと同幅にして起立ポールに固定自在の郵便受，表示サイン，ブロック上に設置自在の門灯等の機能部品を追加的に選択設置自在に備えてなることを特徴とする請求項４に記載の門柱等の起立構造物とし，請求項６に記載の発明は，それぞれ上記に加えて，上記連結部材と引寄部材を共通部品とする好ましい形態のものとするように，これを，上記連結部材と引寄部材を共通部品として形成してなることを特徴とする請求項１，２，３，４又は５に記載の門柱等の起立構造物とし，これらをそれぞれ発明の要旨として上記各課題解決の手段としたものである。
【０００６】
【発明の実施の形態】
以下図面の例によって本発明を更に具体的に説明すれば，１はファンクション門柱とした起立構造物であり，図１乃至図８の例において起立構造物１は，一対の起立ポール２と，該一対の起立ポール２の上下方向適宜位置に部分的に配置固定することによって該起立ポール２を相互に連結するセンターブロック１０ａとを備えたものとし，図９及び図１０の例において起立ポール２と，該起立ポール２の上下方向適宜位置に部分的に配置固定することによって該起立ポール２の側面に設置するサイドブロック１０ｂとを備えたものとしてあり，このとき本例の起立構造物１は，カラー，長さ等によって複数種とした起立ポール２と，その上下方向適宜位置に部分的に配置固定することによって側面に設置し又は一対の起立ポール２を相互に連結するブロック１０と，該ブロック１０に設置自在の照明２３ａ，表示サイン２３ｂ，インタホン２３ｃ等適宜の機能部品２３とを備え，また上記ブロック１０と同幅にして起立ポール２に固定自在の郵便受２３ｄ，ブロック１０上に設置自在の門灯２３ｅ等の機能部品を選択設置自在に備えたものとしてある。
【０００７】
即ち本例にあって起立ポール２及びブロック１０は，これをアルミ押出材によるものとすることによって起立構造物１をアルミ製にして部材の軽量化を図ったものとしてあり，またブロック１０は同一断面形状のものを単一に用いて上記センターブロック１０ａとサイドブロック１０ｂを共通化し，起立ポール２の単一使用，一対の使用に応じてセンターブロック１０ａとして使用し，必要に応じて非起立ポール側の側面にサイドカバー１３を用いてサイドブロック１０ｂとして使用するようにしてある。
【０００８】
本例において起立ポール２は，長さを異長とするとともにブラウン，ホワイト，ブラック，木目等の適宜のカラーのものとすることによって複数種のものとし，またブロック１０も同様にカラーを異色とすることによって複数種のものとしてあり，これら起立ポール２とブロック１０の組合せと上記機能部品２３の選択設置によって，各種の選択組合せによって，デザイン，機能を選択し得るシステム製品としてある。
【０００９】
このとき上記起立ポール２とブロック１０は，起立ポール２を，両側面の前後方向一方に引寄部材受入溝８を，前後方向他方に前後方向に傾斜した傾斜部５を有する連結部材受入溝４をそれぞれ配置するとともに前後面一方の上記各引寄部材受入溝８側にネジ受座７を配置した一対のものとし，ブロック１０を，該一対の起立ポール２の上記各引寄部材受入溝８及び連結部材受入溝４に応じてこれらの受入溝８，４にそれぞれ長手方向一端から遊嵌状にスライド挿入自在の引寄部材１４ｂ及び上記連結部材受入溝４の傾斜部５と相互に係合自在の前後に傾斜した傾斜部１８を有する連結部材１４ｂを配置した起立ポール２を相互に連結するものとしてあり，上記一対の起立ポール２に対するブロック１０の固定は，上記一対の起立ポール２の上記ネジ受座７に形成した透孔から引寄ネジ６を引寄部材１４ｂに螺入して，それぞれ遊嵌状の引寄部材１４ｂと連結部材１４ａを介してブロック１０をネジ受座７側に引寄せ上記連結部材受入溝４と連結部材１４ａの傾斜部５，１８を相互に楔状に係合することによって，これを行ったものとしてあり，これによって起立ポール２とブロック１０の固定を，例えば起立ポール２を転倒した状態でブロック１０を配置し，ドライバーで上記引寄ネジ６を回転することによって，上記引寄ネジ６の引寄状態と上記傾斜部５，１８の相互の楔状の係合とによって極めて容易且つ確実にして起立構造物１としての一対の起立ポール２のセンターブロック１０ａによる連結強度，単一の起立ポール２へのサイドブロック１０ｂの固定強度を確保し得るものとしてある。
【００１０】
このとき連結部材１４ａと受入溝４は，連結部材１４ａをブロック１０に設置し，受入溝４を起立ポール２に設置してあり，これによって起立ポール２に対するブロック１０の引き寄せを，起立ポール２を引き寄せの基準として確実に行うとともにその納まりを良好とするようにしてある。
【００１１】
即ち本例にあって起立ポール２は，上記アルミ押出材によって断面中空矩形状，中空半円状等の適宜の断面形状の長尺の異形にして一対のものとし，このとき一方の起立ポール２の外側面にヒンジ受入溝３を設置して，これにヒンジ２５を嵌合固定して門扉２４を吊り持ち支持するようにするとともに一対の起立ポール２の対向側面を平行な面とし，その前後方向一方，本例にあっては前方に上記連結部材受入溝４を設置してあり，このとき起立ポール２にあってはその前後面，特に後面を上記引寄ネジ６のネジ受座７とし，該ネジ受座７に引寄ネジ６を設置することによって上記ブロック１０の後方への引き寄せを行なうようにしてある。
【００１２】
受入溝３は，起立ポール２の上記対向側面を凹陥するように断面Ｃ字状乃至コ字状とし，その前後一端，本例にあっては後端において開口を狭めるようにＶ字状の突起を形成し，前方に向けて傾斜する傾斜部５，特に傾斜面を形成したものとしてあり，このとき本例にあって，上記ネジ受座７の後方の対向側面には，その後方において後述のブロック１０に設置した引寄部材１４ｂを受け入れる引寄部材受入溝８を設置して該引寄部材受入溝８に受け入れた引寄部材１４ｂを引寄ネジ６で引き寄せることによって，該引寄部材１４ｂを介したブロック１０の引き寄せを行なうようにしてある。
【００１３】
本例にあってブロック１０は，上記アルミ押出材によって断面中空矩形状，中空方形状，中空コ字状等の適宜の断面形状にして，起立ポール２の数分の１程度の高さを有するものとしてあり，その両側面には前後方向一方，本例にあっては上記起立ポール２の受入溝４の位置に合わせて前方に連結部材１４ａを設置するとともに本例にあって後方の上記引寄部材受入溝８の位置に合わせて引寄部材１４ｂを設置してある。
【００１４】
連結部材１４ａ及び引寄部材１４ｂは，本例においてアルミ鋳物，合成樹脂等の同一の成形部品，金属板を折曲形成した同一の金属折曲部品によるピース乃至ブロックの共通部品１４としてあり，本例において該連結部材１４ａ及び引寄部材１４ｂは，垂直基部１５，該垂直基部１５の上下端にその交差方向に突設した上下の水平突出片１７，垂直基部１５の中間にその交差方向に突設した垂直突出片２０を備え，垂直基部１５に起立ポール２にネジ２２固定するためのネジ穴１６を，上下の水平突出片１７にこれを傾斜切断することによって形成した上下の傾斜部１８を，垂直突出片２０に上記引寄ネジ６を螺装することによって上記引き寄せを行なう雌ネジ２１をそれぞれ設置した，金属折曲部品，特に厚肉鋼板による鋼板折曲部品による共通部品１４としてある。
【００１５】
該共通部品１４は，ブロック１０に上記傾斜部１８を後方に向けて該ブロック１０から側面側に突出するように，上記垂直基部１５のネジ穴１６を介してネジ２２を起立ポール２に螺入固定し，傾斜部１８をその先端において後方に向けるように配置することによって連結部材１４ａとする一方，これを反転するように同様にネジ２２で固定し，傾斜部１８をその先端において前方に向けて，垂直突出片２０を後方に位置するように配置することによって引寄部材１４ｂとするようにしてある。
【００１６】
連結部材１４ａ及び本例にあっては更に引寄部材１４ｂを設置したブロック１０は，例えば一対の起立ポール２を転倒し，その長手方向一端からスライド挿入することによって，その連結部材受入溝４に連結部材１４ａを遊嵌状に受け入れ，引寄部材受入溝８に引寄部材１４ｂを同様に遊嵌状に受け入れるよにしてブロック１０を一対の起立ポール２間に配置し，引寄ネジ６を上記ネジ受座７の透孔を介して挿入して，ネジ受座７にネジ頭を係合した状態で引寄ネジ６を引寄部材１４ｂに螺入回転することによって引寄部材１４ｂを後方に引き寄せるようにし，該引寄部材１４ｂを介して起立ポール２を基準とするブロック１０の引き寄せを行うとともに上記受入溝４と，これに遊嵌状に挿入した連結部材１４ａの各傾斜部５，１８を緊密に密着係合し，傾斜部５，１８の相互の楔状の係合を行なうようにしてある。
【００１７】
これによって一対の起立ポール２は，これらの間に介設したブロック１０をセンターブロック１０ａとしてこれら一対の起立ポール２を相互に連結し，門柱等の起立構造物１として容易且つ確実な現場組立をなし得るとともにその構造強度を確保したものとすることができる。
【００１８】
ブロック１０にはその上下に天板１１，底板１２を付して，上下端を塞ぎ，必要に応じて照明２３ａ，表示サイン２３ｂ，インタホン２３ｃ等の機能部品２３を設置するようにし，また同じく必要に応じてブロック１０と同幅の郵便受２３ｄを起立ポール２に固定し，ブロック１０上に門灯２３ｅを設置する等して，部材を選択使用してデザインや機能を選定した起立構造物１として完成したものとすればよい。
【００１９】
図７は，上記と機能部品２３の配置を変えた形態の起立構造物１の例，図８は，一対の起立ポール２を異長として，長尺の起立ポール２の中間位置にして短尺の起立ポール２の上端位置に同様にセンターブロック１０ａを配置して，これら異長の起立ポール２を連結するようにし，その余を上記と同様にした起立構造物１の例である。
【００２０】
図９及び図１０は，上記起立ポール２を単一に使用して，上記ブロック１０をその上下方向適宜位置に部分的に配置固定することによって該起立ポール２の側面に設置するサイドブロック１０ｂとし，その一側に上記サイドカバー１３を設置し，サイドブロック１０ｂの外観を向上するとともに，本例においてサイドブロック１０ｂの下に設置した郵便受２３ｄの側面を一連に被覆してサイドブロック１０ｂと郵便受２３ｄの設置納まりの外観を向上するようにし，その余を上記と同様にした起立構造物１の例であり，このとき起立ポール２へのサイドブロック１０ｂの設置固定は，上記に準じて起立ポール２を転倒した状態で行い，その後にサイドカバー１３を設置するようにすればよい。
【００２１】
図中９は起立ポール２の上端を閉塞するポールキャップ，１９は上記連結部材１４ａ，引寄部材１４ｂの水平突出片１８に設けて，上記ポールキャップ９，ブロック１０上下の天板１１，底板１２等をネジ固定するように用いる雌ネジ，２３ｆは起立ポール２間の下方に設置した機能部品の飾りバー乃至飾りバスケット，２３ｇは起立ポール２に設置するようにした機能部品の表示サイン，２６は門扉２４を設置したときの他方の門柱を示す。
【００２２】
図示した例は以上のとおりとしたが，起立構造物を一対の起立ポールとセンターブロック又は単一の起立ポールとサイドブロックによる，それぞれ専用部材として，その現場組立を行なうように構成すること等を含めて，本発明の実施に当って，起立ポール，サイドブロック，センターブロック，必要に応じてこれらを共通とするときのブロック，連結部材，受入溝，引寄ネジ，必要に応じて用いる機能部品等の具体的材質，形状，構造，これらの関係，これらに対する付加，起立構造物としての用途等は，上記発明の要旨に反しない限り様々な形態のものとすることができる。
【００２３】
【発明の効果】
本発明は以上のとおりに構成したから，請求項１及び２に記載の発明は，それぞれ組立を容易且つ確実になし得て現場組立用のものとして好適な門柱等の起立構造物を提供することができ，請求項３に記載の発明は，上記に加えて，上記ブロックを機能部品設置用に使用して，需要者のニーズに応じて現場で機能部品の設置を可能としたものとすることができ，請求項４に記載の発明は，部材供給によって需要者が部材を選択使用してデザインや機能を選定することができ需要者のニーズに応じるとともに在庫の減少をなし得るシステム的な製品として好適な門柱等の起立構造物を提供することができ，請求項５に記載の発明は，上記に加えて，需要者の選択使用の範囲を拡大するものとすることができ，請求項６に記載の発明は，それぞれ上記に加えて，上記連結部材と引寄部材を共通部品とする好ましい形態のものとすることができる。
【図面の簡単な説明】
【図１】  起立構造物及びこれと門扉との組合せ使用の例を示す正面図である。
【図２】  起立ポールとブロックの関係を示す横断面図である。
【図３】  起立ポールとブロックの関係を示す部分縦断面図である。
【図４】  図３の連結部材部分の拡大断面図である。
【図５】  図３の引寄ネジ部分の拡大断面図である。
【図６】  起立ポール，ブロック及び連結部材の関係を示す部分拡大斜視図である。
【図７】  起立構造物の他の例を示す正面図である。
【図８】  起立構造物の他の例を示す正面図である。
【図９】  起立構造物の他の例を示す正面図である。
【図１０】  図６の起立ポールとブロックの関係を示す横断面図である。
【符号の説明】
１  起立構造物
２  起立ポール
４  受入溝
５  傾斜部
６  引寄ネジ
１０  ブロック
１０ａ  センターブロック
１０ｂ  サイドブロック
１４ａ  連結部材
１４ｂ  引寄部材
１８  傾斜部
２３  機能部材
【図１】
0004057755.tif 000002
【図２】
0004057755.tif 000003
【図３】
0004057755.tif 000004
【図４】
0004057755.tif 000005
【図５】
0004057755.tif 000006
【図６】
0004057755.tif 000007
【図７】
0004057755.tif 000008
【図８】
0004057755.tif 000009
【図９】
0004057755.tif 000010
【図１０】
0004057755.tif 000011